(57)【要約】      （修正有）【課題】防水ケースのどの位置でもタッチパネルを操作して、デジタル製品を操作可能で、タッチパネルに表示されるパターンや文字が防水ケース上の作動機構によって遮断される事態が回避され、一定の圧力で良好に導通し、動作が安定する作動機構、およびその作動機構を設けた防水ケースを提供する。【解決手段】作動機構は、防水ケース内に配置されたデジタル製品の静電容量式タッチパネルを作動させるために用いられ、防水ケース２００に設けられる作動ユニットと、作動ユニットの一端に接続されるプローブ１３０と、プローブが接触する導電接続装置１６０と、静電容量式タッチパネル２２０に設けられ、タッチパネルと接触するトリガユニットと、を含み、トリガユニットは導電接続装置に接続され、作動ユニットの上下動によりプローブと導電接続装置が接触することで電荷伝達が完了する。【選択図】図４
0003211287.tif 000002
【実用新案登録請求の範囲】
【請求項１】
防水ケース内に配置されたデジタル製品の静電容量式タッチパネルを作動させるための作動機構であって、
手動で操作しやすいよう防水ケースに設けられる作動ユニット、
前記作動ユニットの一端に接続されるとともに、当該作動ユニットによって上下動するプローブ、
前記防水ケースに設けられ、前記作動ユニットによって前記プローブが接触する導電接続装置、及び
静電容量式タッチパネルに設けられ、タッチパネルと接触するトリガユニット、を含み、
前記トリガユニットは前記導電接続装置に接続され、前記作動ユニットの上下動によって、前記プローブと前記導電接続装置が接触することで電荷伝達が完了することを特徴とする作動機構。
【請求項２】
前記作動ユニットは、
前記防水ケースの開口を貫通するように延設される作動軸、
前記作動軸の一端に接続されるボタン、及び
前記作動軸に設けられる第１弾性部材、を含み、
当該弾性部材によって前記作動軸が上下動することを特徴とする請求項１記載の作動機構。
【請求項３】
前記プローブは、前記作動軸の他端に設けられることを特徴とする請求項１記載の作動機構。
【請求項４】
前記作動軸の内端には、前記プローブを防水ケースの内表面と密着する位置に保持すべく第１固定部材が設けられることを特徴とする請求項１記載の作動機構。
【請求項５】
前記トリガユニットは、
タッチパネル上のアプリケーションポイントと垂直な接触軸と、
前記接触軸に接続されるとともに、タッチパネルとの接触を維持するトリガ片、を含むことを特徴とする請求項１記載の作動機構。
【請求項６】
前記トリガユニットは、前記トリガ片をタッチパネルに平らに密着させるべく第２弾性部材を含むことを特徴とする請求項５記載の作動機構。
【請求項７】
前記弾性部材はいずれもバネであることを特徴とする請求項２又は６記載の作動機構。
【請求項８】
トリガユニットは、前記接触軸を前記導電接続装置の一端に固定すべく第２固定部材を含むことを特徴とする請求項５記載の作動機構。
【請求項９】
前記導電接続装置には、一端が作動ユニットのプローブ下方に位置して接触に備え、他端がトリガユニットに接続されて導通する導電接触片が設けられることを特徴とする請求項１記載の作動機構。
【請求項１０】
前記作動機構は、前記作動軸と防水ケースにおける開口との隙間を密封すべくシール材を含むことを特徴とする請求項２記載の作動機構。
【請求項１１】
防水ケース本体と作動機構を含み、当該作動機構が、
手動で操作しやすいよう、防水ケースに設けられる作動ユニット、
前記作動ユニットの一端に接続されるとともに、当該作動ユニットによって上下動するプローブ、
前記防水ケースに設けられ、前記作動ユニットによって前記プローブが接触する導電接続装置、及び
静電容量式タッチパネルに設けられ、タッチパネルと接触するトリガユニット、を含み、
前記トリガユニットは前記導電接続装置に接続され、前記作動ユニットの上下動によって、前記プローブと前記導電接続装置が接触することで電荷伝達が完了することを特徴とする防水ケース。
【請求項１２】
前記作動ユニットは、
前記防水ケースの開口を貫通するように延設される作動軸、
前記作動軸の一端に接続されるボタン、及び
前記作動軸に設けられる第１弾性部材、を含み、
当該弾性部材によって前記作動軸が上下動することを特徴とする請求項１１記載の防水ケース。
【請求項１３】
前記プローブは、前記作動軸の他端に設けられることを特徴とする請求項１２記載の防水ケース。
【請求項１４】
前記作動軸の内端には、前記プローブを防水ケースの内表面と密着する位置に保持すべく第１固定部材が設けられることを特徴とする請求項１２記載の防水ケース。
【請求項１５】
前記トリガユニットは、
タッチパネル上のアプリケーションポイントと垂直な接触軸と、
前記接触軸に接続されるとともに、タッチパネルとの接触を維持するトリガ片、を含むことを特徴とする請求項１１記載の防水ケース。
【請求項１６】
前記トリガユニットは、前記トリガ片をタッチパネルに平らに密着させるべく第２弾性部材を含むことを特徴とする請求項１５記載の防水ケース。
【請求項１７】
前記弾性部材はいずれもバネであることを特徴とする請求項１２又は１６記載の防水ケース。
【請求項１８】
トリガユニットは、前記接触軸を前記導電接続装置の一端に固定すべく第２固定部材を含むことを特徴とする請求項１２記載の防水ケース。
【請求項１９】
前記導電接続装置には、一端が作動ユニットのプローブ下方に位置して接触に備え、他端がトリガユニットに接続されて導通する導電接触片が設けられることを特徴とする請求項１１記載の防水ケース。
【請求項２０】
前記作動機構は、前記作動軸と防水ケースにおける開口との隙間を密封すべくシール材を含むことを特徴とする請求項１２記載の防水ケース。
【考案の詳細な説明】
【技術分野】
【０００１】
本考案は作動ユニットに関し、より具体的には、水中でデジタル製品を臨機応変に操作可能とするデジタル製品用防水ケースの作動ユニットに関する。更に、本考案は当該作動ユニットを用いるデジタル製品用防水ケースを開示する。
【背景技術】
【０００２】
デジタル装置を水中で操作しやすいよう、現在のデジタル製品にはそれぞれに適合した防水ケースが存在している。これにより、例えばデジタルカメラ、スマートフォン、ＩＰＡＤ等のデジタル装置が水中でも操作可能となる。しかし、従来の防水ケースは構造配置が全体として合理的とはいえず、操作しにくいほか、作動効果にも劣っている。
【０００３】
この点について、特許文献１は、防水ケース内のデジタル装置における静電容量式タッチパネルを作動するための作動機構を開示している。当該作動機構は、ケースに形成された開口を貫通するよう延伸する作動軸と、軸の外端に接続されるボタンと、軸の内端に接続されるプローブと、プローブをタッチパネルから離間させるための付勢部材を含む。これによれば、ボタンを押下することで付勢部材の付勢力に抗し、プローブをタッチパネルに向かって移動させてタッチパネルに接触させる。更には、作動機構を備える防水ケースについても開示されている。当該特許の作動構造では、防水ケース本体、ケース本体に形成された開口を貫通するよう延伸する制動軸、軸の外端に接続されるボタン、軸の内端に接続されるプローブ、プローブをタッチパネルから離間させるための付勢部材、及び、ボタンを押下することで付勢部材の付勢力に抗し、プローブをタッチパネルに向かって移動させてタッチパネルに接触させること、を主な装置及び動作原理としている。また、ボタン、軸及びプローブは、電荷を伝達可能な材料から構成されている。
【０００４】
この作動構造では、上下動する制動軸は本体ケースに形成された開口内でのみ上下に動作可能であり、制動軸の上端に接続されたボタンと軸の内端に接続されたプローブも同一方向に動作する。そのため、この作動構造では、動作にあたってタッチパネル上の制動軸に対応する垂直部分の領域しか操作できない。防水ケース本体上のタッチパネルと垂直な点は、この作動構造を取り付けるのに適さないか、或いは、作動構造を取り付けると他の部品と干渉してしまうため制限が大きい。
【０００５】
そこで、従来技術における上記の瑕疵と課題を改善し、防水ケースのどの位置でもタッチパネルのあらゆる領域を操作してデジタル製品を操作可能であり、他の部品とも干渉しない新たなデジタル装置用防水ケースの作動機構が緊急に必要とされている。
【先行技術文献】
【特許文献】
【０００６】
【特許文献１】中国特許公報ＣＮ１０３０３４３８２Ｂ
【考案の概要】
【考案が解決しようとする課題】
【０００７】
本考案は、上述した従来技術における技術的課題を解決し、防水ケースのどの位置でもタッチパネルを操作可能であるとともに、他の部品と干渉することのない作動機構、及び当該作動機構を用いる防水ケースを提供することを目的とする。
【課題を解決するための手段】
【０００８】
上記の目的を実現するために、一局面において、本考案の作動機構は以下の技術方案を用いる。
【０００９】
防水ケース内に配置されたデジタル製品の静電容量式タッチパネルを作動させるための作動機構であって、手動で操作しやすいよう防水ケースに設けられる作動ユニット、  前記作動ユニットの一端に接続されるとともに、当該作動ユニットによって上下動するプローブ、前記防水ケースに設けられ、前記作動ユニットによって前記プローブが接触する導電接続装置、及び静電容量式タッチパネルに設けられ、タッチパネルと接触するトリガユニット、を含み、前記トリガユニットは前記導電接続装置に接続され、前記作動ユニットの上下動によって、前記プローブと前記導電接続装置が接触することで電荷伝達が完了する。
【００１０】
好ましくは、前記導電接続装置には、一端が作動ユニットのプローブ下方に位置して接触に備え、他端がトリガユニットに接続されて導通する導電接触片が設けられる。
【００１１】
更に、本考案の前記作動機構によれば、前記作動ユニットは、前記防水ケースの開口を貫通するように延設される作動軸、前記作動軸の一端に接続されるボタン、及び前記作動軸に設けられる第１弾性部材、を含み、当該弾性部材によって前記作動軸が上下動する。
【００１２】
本考案の作動機構の一実施例によれば、前記プローブは、前記作動軸の他端に設けられる。前記作動軸の内端には、前記プローブを防水ケースの内表面と密着する位置に保持すべく第１固定部材が設けられる。
【００１３】
本考案の作動機構の一実施例によれば、前記トリガユニットは、タッチパネル上のアプリケーションポイントと垂直な接触軸と、前記接触軸に接続されるとともに、タッチパネルとの接触を維持するトリガ片、を含む。
【００１４】
本考案の作動機構の一実施例によれば、前記トリガユニットは、前記トリガ片をタッチパネルに平らに密着させるべく第２弾性部材を含む。好ましくは、前記第１及び第２弾性部材はいずれもバネである。
【００１５】
本考案の前記作動機構において、前記トリガユニットは、前記接触軸を前記導電接続装置の一端に固定すべく第２固定部材を含む。
【００１６】
本考案の前記作動機構において、前記作動機構は、前記作動軸と防水ケースにおける開口との隙間を密封すべくシール材を含む。
【００１７】
本考案の他の局面によれば、本考案は、例えばデジタルカメラ、ＰＤＡ、スマートフォン、ＩＰＡＤ等のデジタル製品に適用される防水ケースを更に提供する。前記防水ケースは、防水ケース本体と作動機構を含み、当該作動機構が、手動で操作しやすいよう防水ケースに設けられる作動ユニット、前記作動ユニットの一端に接続されるとともに、当該作動ユニットによって上下動するプローブ、前記防水ケースに設けられ、前記作動ユニットによって前記プローブが接触する導電接続装置、及び静電容量式タッチパネルに設けられ、タッチパネルと接触するトリガユニット、を含み、前記トリガユニットは前記導電接続装置に接続され、前記作動ユニットの上下動によって、前記プローブと前記導電接続装置が接触することで電荷伝達が完了する。
【００１８】
好ましくは、前記導電接続装置には、一端が作動ユニットのプローブ下方に位置して接触に備え、他端がトリガユニットに接続されて導通する導電接触片が設けられる。
【００１９】
本考案の前記防水ケースによれば、前記作動ユニットは、前記防水ケースの開口を貫通するように延設される作動軸、前記作動軸の一端に接続されるボタン、及び前記作動軸に設けられる第１弾性部材、を含み、当該弾性部材によって前記作動軸が上下動する。
【００２０】
本考案の前記防水ケースによれば、前記プローブは前記作動軸の他端に設けられる。
【００２１】
本考案の前記防水ケースによれば、前記作動軸の内端には、前記プローブを防水ケースの内表面と密着する位置に保持すべく第１固定部材が設けられる。
【００２２】
本考案の前記防水ケースによれば、前記トリガユニットは、タッチパネル上のアプリケーションポイントと垂直な接触軸と、前記接触軸に接続されるとともに、タッチパネルとの接触を維持するトリガ片、を含む。
【００２３】
本考案の前記防水ケースによれば、前記トリガユニットは、前記トリガ片をタッチパネルに平らに密着させるべく第２弾性部材を含む。
【００２４】
本考案の前記防水ケースによれば、前記弾性部材はいずれもバネである。
【００２５】
本考案の前記防水ケースによれば、トリガユニットは、前記接触軸を前記導電接続装置の一端に固定すべく第２固定部材を含む。
【００２６】
本考案の前記防水ケースによれば、前記作動機構は、前記作動軸と防水ケースにおける開口との隙間を密封すべくシール材を含む。
【００２７】
更に、前記第１固定部材と第２固定部材はいずれも固定係合リングである。
【考案の効果】
【００２８】
本考案の作動機構によれば、従来技術の瑕疵を改善可能であり、防水ケースのどの位置でもタッチパネルのあらゆる領域を操作してデジタル製品を操作可能となる。また、他の部品と干渉することがなく、使用しやすいため、操作に便利である。当該構造によれば、従来技術の作動構造のような操作や視野における制限が有効に回避されるため、使用者は、操作習慣や防水ケースの構造に基づいて本考案の作動機構の取り付け位置を合理的に選択できる。また、トリガユニットが静電容量式タッチパネルと持続的に接触しているため、一定の圧力で良好に導通し、動作が安定する。また、本考案の防水ケースは本考案の作動機構の取り付けに基づいたものであるため、上記以外にも密封効果に優れるとの利点を備えており、大規模な普及が容易となる。
【００２９】
以下に、本考案の技術方案がより明確に理解されるよう、図面を組み合わせて本考案につき更に詳細に説明する。
【図面の簡単な説明】
【００３０】
【図１】図１は、本考案の一実施例における作動機構の全体構造を示す図である。
【図２】図２は、図１の作動機構の全体構造についての操作を示す図である。
【図３】図３は、本考案の一実施例における防水ケースの構造について作動機構を省略して示す図である。
【図４】図４は、本考案の一実施例における防水ケースの構造について作動機構を図示して示す図である。
【考案を実施するための形態】
【００３１】
以下に、図面と実施例を組み合わせて、本考案の作動機構と防水ケースの具体的構造につき詳細に解説及び説明する。
【００３２】
本明細書において、「接続する」との用語はある部材と他の部材との状態を表し、ある部材と他の部材との固定、締結又は装着を表すとは限らない。また、「接続する」との用語は、ある部材と他の部材との直接的又は間接的接続、或いは、他の部材との機械的連通又は電気的連通を意味する。
【００３３】
本考案のデジタル製品には、デジタルカメラ、ＰＤＡ、スマートフォン、ＩＰＡＤ等の静電容量式パネルを備える電子機器が含まれるが、説明の便宜上、以下ではデジタルカメラを例に本考案の技術方案につき説明する。
【００３４】
図１〜図４に示すように、本考案の作動機構は、防水ケース２００内に配置されたデジタル製品の静電容量式タッチパネル２２０を作動させるために用いられる。前記作動機構は作動ユニットを含み、手動で操作しやすいよう前記防水ケース２００に設けられている。前記作動ユニットは、前記防水ケース２００の開口２１０を貫通するように延設される作動軸１２０と、前記作動軸１２０の一端に接続されるボタン１１０と、前記作動軸１２０に設けられる第１弾性部材１４０と、を含む。当該弾性部材１４０によって、前記作動軸１２０は一方向に上下動する。また、前記作動軸１２０の他端にはプローブ１３０が設けられている。図１には複数の作動機構が示されており、これらはいずれも本考案の防水ケース２００に取り付けられているが、図２に示すように、本明細書ではこのうちの１つの構造についてのみ詳述する。
【００３５】
前記作動機構は導電接続装置１６０を更に含む。前記作動ユニットによって、前記プローブ１３０は前記導電接続装置１６０と接触する。好ましくは、一の実施例において、前記導電接続装置１６０には、一端が作動ユニットのプローブ下方に位置して接触に備え、他端がトリガユニットに接続されて導通する導電接触片が設けられる。
【００３６】
更に、前記作動機構はトリガユニットを含み、前記トリガユニットは前記導電接続装置１６０に接続される。また、前記作動ユニットの上下動によって、前記プローブ１３０と前記導電接続装置１６０が接触し、電荷伝達が完了する。更に、前記トリガユニットは、タッチパネル２２０上のアプリケーションポイント２２１と垂直な接触軸１７０と、前記接触軸１７０に接続されるとともにタッチパネル２２０との接触を常に維持するトリガ片１８０を含む。
【００３７】
本考案の作動機構の一実施例によれば、前記トリガユニットは、前記トリガ片１８０をタッチパネル２２０に平らに密着させるべく第２弾性部材１４１を含む。好ましくは、前記第１弾性部材と第２弾性部材はいずれもバネである。
【００３８】
好ましくは、本考案の作動機構の一実施例によれば、前記プローブ１３０を防水ケース２００の内表面と密着する位置に保持すべく、前記作動軸１２０の内端には第１固定部材１５０が設けられる。また、本考案の他の実施例によれば、前記作動機構において、前記トリガユニットは前記接触軸１７０を前記導電接続装置１６０の一端に固定すべく第２固定部材１５１を含む。好ましくは、より良好な締結作用を奏すべく、前記第１固定部材と第２固定部材はいずれも固定係合リングとする。
【００３９】
本考案の前記作動機構において、前記作動軸と防水ケースにおける開口との隙間を密封すべく、前記作動機構はシール材を含む。
【００４０】
本考案は、例えばデジタルカメラ、ＰＤＡ、スマートフォン、ＩＰＡＤ等のデジタル製品に適用される防水ケースを更に提供する。前記防水ケースは、前記防水ケース２００の開口２１０を貫通するように延設される作動軸１２０と、前記作動軸１２０の一端に接続されるボタン１１０と、前記作動軸１２０に設けられる第１弾性部材１４０と、を有する作動ユニットを含み、当該弾性部材１４０によって、前記作動軸１２０は一方向に上下動する。また、前記作動軸１２０の他端にはプローブ１３０が設けられている。
【００４１】
前記作動機構は導電接続装置１６０を更に含む。前記作動ユニットによって、前記プローブ１３０は前記導電接続装置１６０と接触する。
【００４２】
更に、前記作動機構はトリガユニットを含み、前記トリガユニットは前記導電接続装置１６０に接続される。また、前記作動ユニットの上下動によって、前記プローブ１３０と前記導電接続装置１６０が接触し、電荷伝達が完了する。更に、前記トリガユニットは、タッチパネル２２０上のアプリケーションポイント２２１と垂直な接触軸１７０と、前記接触軸１７０に接続されるとともにタッチパネル２２０との接触を常に維持するトリガ片１８０を含む。これにより、アプリケーションを常時制御するとの目的が達せられる。
【００４３】
本考案の作動機構の一実施例によれば、前記トリガユニットは、前記トリガ片１８０をタッチパネル２２０に平らに密着させるべく第２弾性部材１４１を含む。好ましくは、前記第１弾性部材と第２弾性部材はいずれもバネである。
【００４４】
好ましくは、本考案の作動機構の一実施例によれば、前記プローブ１３０を防水ケース２００の内表面と密着する位置に保持すべく、前記作動軸１２０の内端には第１固定部材１５０が設けられる。また、本考案の他の実施例によれば、前記作動機構において、前記トリガユニットは前記接触軸１７０を前記導電接続装置１６０の一端に固定すべく第２固定部材１５１を含む。好ましくは、より良好な締結作用を奏すべく、前記第１固定部材と第２固定部材はいずれも固定係合リングとする。
【００４５】
本考案の前記防水ケース２００によれば、前記作動軸１２０と防水ケース２００における開口２１０との隙間（図示しない）を密封すべく、前記作動機構には更にシール材（図示しない）が設けられている。好ましくは、より良好な密封機能を発揮すべく、前記シール材はゴム又はプラスチック製のＯリングとする。
【００４６】
本考案の作動機構によれば、従来技術の瑕疵を改善可能であり、防水ケースのどの位置でもタッチパネルのあらゆる領域を操作してデジタル製品を操作可能となる。また、他の部品と干渉することがなく、使用しやすいため、操作に便利である。当該構造によれば、従来技術の作動構造のような操作や視野における制限が有効に回避されるため、使用者は、操作習慣や防水ケースの構造に基づいて本考案の作動機構の取り付け位置を合理的に選択できる。また、本考案の防水ケースは本考案の作動機構の取り付けに基づいたものであるため、上記以外にも密封効果に優れるとの利点を備えている。よって、大規模な普及が容易となる。
【００４７】
以上は本考案の好ましい実施例にすぎず、本考案の権利保護範囲がこれに限定されないことはいうまでもない。よって、本考案の特許請求の範囲に基づいて行われる等価の変化又は各種変更定或いは変形は、いずれも本考案の範囲に含まれる。
【図１】
0003211287.tif 000003
【図２】
0003211287.tif 000004
【図３】
0003211287.tif 000005
【図４】
0003211287.tif 000006